(57)【要約】  【課題】  サグを補正すると同時に容量の容量値を小さくした映像信号出力回路を提供する。  【解決手段】  増幅器４の出力映像信号から容量Ｃ１と抵抗Ｒ３からなるローパスフィルタによりＤＣ成分を取り出して抵抗Ｒ１とＲ２からなる加算回路５により入力映像信号に加算し、増幅器４で増幅して容量Ｃ２と負荷抵抗Ｒ４からなるハイパスフィルタに入力させることで、そのハイパスフィルタで生じるサグを補正する。【選択図】  図１
2005184056.tif 000002
【特許請求の範囲】
【請求項１】
映像信号を入力する出力バッファと、該出力バッファと出力端子との間に接続された第１の容量と、該出力端子と接地間に接続される第１の抵抗とを具備する映像信号出力回路において、
入力端子に一方の入力側が接続された加算回路と、該加算回路の出力側と前記出力バッファの入力側に接続された増幅器と、第２の容量と第２の抵抗とからなり前記増幅器の出力側と前記加算回路の他方の入力側との間に接続されたローパスフィルタとを設けたことを特徴とする映像信号出力回路。
【請求項２】
請求項１に記載の映像信号出力回路において、
前記第２の容量と前記第２の抵抗とで決まるローパスフィルタのカットオフ周波数を、前記第１の容量と前記第１の抵抗とで決まるハイパスフィルタのカットオフ周波数と同じに設定したことを特徴とする映像信号出力回路。
【請求項３】
請求項１又は２に記載の映像信号出力回路において、
前記加算回路の前記他方の入力側にクランプ回路を接続したことを特徴とする映像信号出力回路。
【発明の詳細な説明】
【技術分野】
【０００１】
本発明は、出力映像信号のサグを補正する機能も併せ持つ映像信号出力回路に関するものである。
【背景技術】
【０００２】
従来の映像信号出力回路の構成を図３に示す。図３において、１は入力端子、２は出力バッファ（ドライバ）、３は出力端子である。Ｃ２は映像信号のＡＣ成分のみを抽出するために出力バッファ２の出力側に外付け接続された容量（第１の容量）であり、この容量Ｃ２と負荷抵抗Ｒ４（後段回路の入力インピーダンス：第１の抵抗）とによりハイパスフィルタが構成される。このため、出力映像信号から容量Ｃ２により直流成分が除去されるために、入力端子１に図４(a)に示す映像信号を入力させると、図４(b)に示すように、出力端子３に現れる映像信号が積分波形となり頂部が傾斜したいわゆるサグが発生する。なお、図４(a)において、１１は映像信号期間（２５６H期間）、１２は帰線期間、１３は水平同期信号部を示す。
【０００３】
そこで、このサグの発生を防止するために、通常では映像信号出力回路にサグ補正回路が組み込まれる。図５はそのサグ補正回路を組み込んだ映像信号出力回路の構成を示す回路図である。サグ補正回路は、出力バッファ２の反転入力端子と外付け容量Ｃ２の負荷抵抗Ｒ４の側との間に外付け容量Ｃ３を接続し、さらに出力バッファ２の出力端子と反転入力端子との間に出力バッファ２の出力インピーダンスＺｏよりも抵抗値の十分大きな抵抗Ｒ５を接続して構成されている。
【０００４】
このサグ補正回路では、容量Ｃ２と負荷抵抗Ｒ４により構成されるハイパスフィルタを通過した信号を、容量Ｃ３を通過して出力バッファ２の反転入力端子に帰還させることにより、サグが補正される。
【０００５】
【特許文献１】TOKO  半導体セレクションガイド、集積回路、3.3V動作クランプ回路内蔵７５ΩビデオラインドライバIC、「TK15460L」、[平成15年12月10日検索]、インターネット＜URL：http://www.toko.co.jp/products/ctlg/semicon/av_video.html＞
【発明の開示】
【発明が解決しようとする課題】
【０００６】
しかしながら、上記図５に示したサグ補正回路では、輝度信号およびクロマ信号の周波数帯域では抵抗Ｒ５、容量Ｃ２、Ｃ３で構成されたループのインピーダンスを十分小さくしなければならないが、抵抗Ｒ５はゲイン確保の関係から前記したように出力バッファ２の出力インピーダンスＺｏよりも十分大きな抵抗値に設定しなければならないので、外付けの容量Ｃ２、Ｃ３の容量値を大きくしなければならず、その容量Ｃ２，Ｃ３が大型化するという問題があった。
【０００７】
本発明の目的は、サグ補正が行われ且つＡＣ成分抽出用およびサグ補正用の外付け容量を小さくできるようにした映像信号出力回路を提供することである。
【課題を解決するための手段】
【０００８】
請求項１にかかる発明の映像信号出力回路は、映像信号を入力する出力バッファと、該出力バッファと出力端子との間に接続された第１の容量と、該出力端子と接地間に接続される第１の抵抗とを具備する映像信号出力回路において、入力端子に一方の入力側が接続された加算回路と、該加算回路の出力側と前記出力バッファの入力側に接続された増幅器と、第２の容量と第２の抵抗とからなり前記増幅器の出力側と前記加算回路の他方の入力側との間に接続されたローパスフィルタとを設けたことを特徴とする。
【０００９】
請求項２にかかる発明は、請求項１に記載の映像信号出力回路において、前記第２の容量と前記第２の抵抗とで決まるローパスフィルタのカットオフ周波数を、前記第１の容量と前記第１の抵抗とで決まるハイパスフィルタのカットオフ周波数と同じに設定したことを特徴とする。
【００１０】
請求項３にかかる発明は、請求項１又は２に記載の映像信号出力回路において、前記加算回路の前記他方の入力側にクランプ回路を接続したことを特徴とする。
【発明の効果】
【００１１】
請求項１および２にかかる発明によれば、ＡＣ成分抽出用の第１の容量と第１の抵抗からなるハイパスフィルタにより映像信号の頂部に生じるサグの傾斜と反対の傾斜を、第２の容量と第２の抵抗からなるローパスフィルタにより予め映像信号に与えるので、そのサグを補正することができる。このとき、第１の容量はＡＣ抽出としての機能を満足すればよいので、小さな容量値に設定できる。また、第２の容量と第２の抵抗からなるローパスフィルタのカットオフ周波数は、第１の容量と第１の抵抗からなるハイパスフィルタのカットオフ周波数と同じに設定すればよいので、第２の抵抗を大きな値に設定することで第２の容量の容量値を小さく設定できる。よって、第１および第２の容量のいずれもその容量値を小さな値に設定でき、小型化が可能となり外付けの場合に好適となる。
【００１２】
また、請求項３にかかる発明によれば、第２の容量と第２の抵抗からなるローパスフィルタの出力電圧をクランプ回路でクランプできるので、サグ補正回路を構成する増幅器に入力する信号のバイアスを所望の電圧値に固定できるため、低電圧動作が可能となる利点がある。
【発明を実施するための最良の形態】
【００１３】
図１は本発明の１つの実施例の映像信号出力回路の構成を示す回路図である。図３および図５におけるものと同じものには同じ符号を付けた。４は出力バッファ２の入力側に接続された増幅器、５はその増幅器４と入力端子１との間に接続された抵抗Ｒ１，Ｒ２からなる加算回路、６は増幅器４の出力側と加算回路５との間に接続された抵抗Ｒ３（第２の抵抗）と容量Ｃ１（第２の容量）からなるローパスフィルタ、７はノードｃの電圧をクランプするクランプ回路である。
【００１４】
この映像信号出力回路では、入力端子１に入力された映像信号は、抵抗Ｒ１を経由して増幅器４で増幅され、出力バッファ２に入力すると共にローパスフィルタ６に入力する。入力端子１（ノードａ）の映像信号を図２(a)に、ローパスフィルタ６のノードｃの映像信号を図２(c)に示す。このようにノードｃの映像信号は、増幅器４の出力映像信号からローパスフィルタ６によりDC成分のみが抽出された波形となる。よって、このノードｃの信号をノードａの入力映像信号に加算回路５で加算することにより、増幅器４の入力側のノードｂの映像信号は、図２(b)に示すように、前記した図４に示した波形と反対に頂部が傾斜した波形の信号となる。よって、この信号を増幅器４で増幅して出力バッファ２から出力端子３の方向に出力させれば、容量Ｃ３と負荷抵抗Ｒ４によるハイパスフィルタ（図４(b)に示すようにサグを生じる）によりその頂部の傾斜が逆方向の傾きに修正されて、出力端子３（ノードｄ）には、図２(d)に示すように、サグが補正された映像信号が出力する。
【００１５】
ここで、容量Ｃ２と負荷抵抗Ｒ４で構成されたハイパスフィルタのカットオフ周波数と容量Ｃ１と抵抗Ｒ３で構成されたローパスフィルタ６のカットオフ周波数が同一となるようにそれらの定数を設定すれば、サグを精度高く補正することができる。
【００１６】
このとき、容量Ｃ２はＡＣ抽出としての機能を満足すればよいので、小さな容量値に設定できる。また、容量Ｃ１と抵抗Ｒ３からなるローパスフィルタ６のカットオフ周波数は、容量Ｃ２と負荷抵抗Ｒ４からなるハイパスフィルタのカットオフ周波数と同じに設定すればよいので、抵抗Ｒ３を大きな値に設定することで容量Ｃ１の容量値を小さく設定できる。よって、容量Ｃ１，Ｃ２のいずれもその容量値を小さな値に設定でき、小型化が可能となり外付けの場合に好適となる。
【００１７】
一方、前記したクランプ回路７により、ノードｃの信号（図２(c)）の最低レベルを所望の電圧値にクランプさせることにより、ノードｂの信号（図２(b)）の信号の振幅を小さな範囲内に抑え、ＡＰＬ（平均映像レベル）の変動に対する影響を緩和することができるので、増幅器４に要求されたダイナミックレンジを小さくすることができる。よって、電源電圧を低くすることができ、低電圧化が可能となる。
【図面の簡単な説明】
【００１８】
【図１】本発明の実施例の映像信号出力回路の回路図である。
【図２】(a)〜(d)は図１のノードａ〜ｄの信号波形図である。
【図３】従来の映像信号出力回路の回路図である。
【図４】(a)、(b)は図３の映像信号出力回路のノードａ，ｂの信号波形図である。
【図５】サグ補正回路を組み込んだ従来の映像信号出力回路の回路図である。
【符号の説明】
【００１９】
Ｃ２：容量（第１の容量）
Ｒ４：負荷抵抗（第１の抵抗）
Ｃ１：容量（第２の容量）
Ｒ３：抵抗（第２の抵抗）
１：入力端子
２：出力バッファ
３：出力端子
４：増幅器
５：加算回路
６：ローパスフィルタ
７：クランプ回路
【図１】
2005184056.tif 000003
【図２】
2005184056.tif 000004
【図３】
2005184056.tif 000005
【図４】
2005184056.tif 000006
【図５】
2005184056.tif 000007